(57)【要約】      （修正有）【課題】抽出用袋を繋ぐ紐、金具、摘み部分を用いず、製造コストの削減およびゴミの量を減らすことができる新規な飲料バッグを提供する。【解決手段】本飲料バッグは、矩形状の台紙３と、該台紙に部分的に接着され、抽出物が収容された抽出用袋２と、前記台紙および前記抽出用袋を封止する包装用袋とからなり、前記抽出用袋が台紙の１つの側縁に沿って接着され、前記台紙の当該１つの側縁から、該１つの側縁と対向する側縁に向かって、Ｕ字状またはＶ字状にスリットが形成され、当該スリットにより前記台紙の凸状の張り出し部３１が画定されてなることを特徴とする。【選択図】図６
0003158013.tif 000002
【実用新案登録請求の範囲】
【請求項１】
矩形状の台紙と、
該台紙に部分的に接合手段により接合され、抽出物が収容された抽出用袋とからなり、
前記抽出用袋が台紙の１つの側縁に沿って接着され、
前記台紙の当該１つの側縁から、該１つの側縁と対向する側縁に向かって、略Ｕ字状または略Ｖ字状にスリットが形成され、当該スリットにより前記台紙の凸状の張り出し領域が画定されてなることを特徴とする飲料バッグ。
【請求項２】
矩形状の台紙と、
該台紙に部分的に接着され、抽出物が収容された抽出用袋と、
前記台紙および前記抽出用袋を封止する包装用袋とからなり、
前記抽出用袋が台紙の１つの側縁に沿って接着され、
前記台紙の当該１つの側縁に隣接する互いに対向する２つの側縁の前記１つの側縁に近接した位置からそれぞれ前記１つの側縁に対向する側に向かって、略Ｕ字状または略Ｖ字状に延びるスリットが形成され、当該スリットにより前記台紙の凸状の張り出し領域が画定されてなることを特徴とする包装された飲料バッグ。
【考案の詳細な説明】
【技術分野】
【０００１】
本考案は飲料バッグおよび包装された飲料バッグに関する。
【背景技術】
【０００２】
従来、図８に示すようなティーバッグ１００が用いられている。図８に示すティーバッグ１００は、包装材料１０１に収納され、お茶などを飲みたいときに包装材料１０１の切れ目部分から包装材料１０１を破き、包装材料１０１内に収納された抽出用袋部分１０２を取り出し、ティーカップやコーヒーカップに抽出用袋部分１０２を入れ、お湯を注いで数分間抽出用袋部分１０２をお湯に浸し、抽出用袋部分１０２内部の茶葉Ｔからお茶を抽出する。ティーバッグ１００は、茶葉Ｔが収容された抽出用袋部分１０２と、抽出用袋部分１０２をカップ内に入れたり出したりするために手で摘むための摘み部分１０３と、摘み部分１０３と抽出用袋部分１０２を繋ぐ紐１０４とを有している。紐１０４は、抽出用袋部分１０２と摘み部分１０３にステープラーなどにより金具１０５で留められている。また、金具１０５を用いる代わりに、抽出用袋部分１０２に紐１０４を縫いつけるものもある。
【考案の概要】
【考案が解決しようとする課題】
【０００３】
上記従来のティーバッグ１００では、お茶を入れるときに抽出用袋部分１０２を熱湯から出し入れするために、摘み部分１０３、紐１０４および抽出用袋部分１０２と紐を繋ぐための金具１０５が必要であり、その分だけ製造コスト、原材料を製造するために使われる原料およびエネルギーの消費量がかかるという問題があった。また、抽出用部分１０２に金具１０５を用いず、紐１０４を縫いつける場合には、製造に手間がかかるという問題がある。さらに、摘み部分１０３、紐１０４および金具１０５の分だけ排出されるゴミの量が増え、地球環境衛生上好ましくない。また、金具１０５が誤ってお茶の中に紛れ込んでしまった場合に、子供が金具１０５を飲み込んでしまう可能性があり危険である。
【０００４】
本考案はかかる事情に鑑みて、抽出用袋を繋ぐ紐、金具、摘み部分を用いず、製造コストの削減およびゴミの量を減らすことができる新規な飲料バッグの提供を目的とする。
【課題を解決するための手段】
【０００５】
本考案の飲料バッグは、矩形状の台紙と、該台紙に部分的に接合手段により接合され、抽出物が収容された抽出用袋とからなり、前記抽出用袋が台紙の１つの側縁に沿って接合され、前記台紙の当該１つの側縁から、該１つの側縁と対向する側縁に向かって、略Ｕ字状または略Ｖ字状にスリットが形成され、当該スリットにより前記台紙の凸状の張り出し領域が画定されてなることを特徴とする。
【０００６】
本考案の包装された飲料バッグは、矩形状の台紙と、該台紙に部分的に接着され、抽出物が収容された抽出用袋と、前記台紙および前記抽出用袋を封止する包装用袋とからなり、前記抽出用袋が台紙の１つの側縁に沿って接着され、前記台紙の当該１つの側縁に隣接する互いに対向する２つの側縁の前記１つの側縁に近接した位置からそれぞれ前記１つの側縁に対向する側に向かって、略Ｕ字状または略Ｖ字状に延びるスリットが形成され、当該スリットにより前記台紙の凸状の張り出し領域が画定されてなることを特徴とする。
【０００７】
また、前記抽出用袋が折りたたまれて収納されてなることが好ましい。
【０００８】
また、前記スリットが帯状であり、当該帯状のスリットの幅が、前記飲料バッグが支持される飲料用容器の開口部分の肉厚より長くされてなることが好ましい。
【０００９】
また、前記１つの側縁から当該１つの側縁に対向する側縁に向って張り出す領域が、前記１つの側縁に隣接する２つの互いに対向する側縁の前記１つの側縁から離間した部位に穿設された略円形の２つの孔と、当該２つの孔と連通した一条の線状のスリットとによって画定され、前記２つの孔の直径が前記飲料バッグが支持される飲料用容器の開口部分の肉厚より長くされてなることが好ましい。
【考案の効果】
【００１０】
本考案の飲料バッグによれば、抽出用袋が直接台紙に接着されているので、抽出用袋をカップなどから出し入れするための紐や摘み部分、当該紐や摘み部分を抽出用袋に繋ぐための金具などが不要であり、製造コストやゴミの量を減らすことができる。さらに、金具を用いていないので、子供などがカップに誤って入ってしまった金具を誤飲してしまう心配がない。
【図面の簡単な説明】
【００１１】
【図１】本考案の包装された飲料バッグを説明するための説明図である。
【図２】本考案の包装された飲料バッグを説明するための断面図である。
【図３】本考案の飲料バッグに用いられる包装用袋を説明するための説明図である。
【図４】本考案の飲料バッグに用いられる台紙を説明するための説明図である。
【図５】本考案の飲料バッグに用いられる台紙の他の態様を説明するための説明図である。
【図６】本考案の飲料バッグの使用状態を説明するための説明図である。
【図７】本考案の飲料バッグの使用状態を説明するための説明図である。
【図８】従来のティーバッグを示す図である。
【考案を実施するための形態】
【００１２】
添付図面を参照し、本実施の形態にかかわる飲料バッグと、当該飲料バッグが包装された、包装された飲料バッグについて、以下に詳細に説明する。
【００１３】
図１および２では、本実施の形態にかかわる飲料バッグＴＢが包装された状態を図示したものである。図１〜６を参照すると、本考案の飲料バッグＴＢは、茶葉Ｔが収納されたティーバッグ様の抽出用袋２が、カップＣの上縁に係止するための台紙３に部分的に接着されている。図１および２は、包装用袋４内に抽出用袋２が半分に折りたたまれた状態で、包装用袋４の外周に沿って密封された包装された飲料バッグ１を示している。台紙３を茶碗やコーヒーカップなどの上縁に係止させ、抽出用袋２を茶碗やコーヒーカップ内に垂らし、茶碗やコーヒーカップに注がれたお湯により、抽出用袋２内からお茶やコーヒーを抽出する。
【００１４】
抽出用袋２に収容される抽出物としては、お茶類、コーヒー、だし、漢方薬等があげられるが、抽出用袋４に収容される抽出物は、お湯や水などにより抽出可能なものであれば、特に限定されるものではない。また、本考案におけるお茶は、緑茶、白茶、青茶、紅茶、黄茶、黒茶等の発酵程度の異なる各種茶葉をはじめ、煎茶、番茶などを焙じたほうじ茶、茶葉に玄米を混ぜた玄米茶などの混合茶、茶葉以外の植物の葉、花、実などを利用したジャスミン茶や麦茶などのお茶類を含む概念である。
【００１５】
茶葉Ｔが収納される抽出用袋２は、織布、不織布、紙、有孔フィルム等の通液性のある
素材で、両面にヒートシール性を持つもの、または片面にヒートシール性を持つものが好適に用いられる。ヒートシール性を持つ抽出用袋２を用いることにより、抽出用袋２の開口部から茶葉Ｔなどの内容物を充填後、台紙３に抽出用袋２をヒートシールにより取り付けると同時に、抽出用袋２の内容物充填のための開口部もヒートシールにより閉じることができる。台紙３に抽出用袋２をヒートシールにより取り付けることにより、抽出用袋２をカップＣなどから出し入れするための紐や摘み部分、当該紐や摘み部分を抽出用袋に繋ぐための金具などが不要であり、製造コストやゴミの量を減らすことができる。さらに、金具を用いていないので、子供などがカップＣに誤って入ってしまった金具を誤飲してしまう心配がない。
【００１６】
台紙３は、抽出用袋２をヒートシールすることが可能なヒートシール性を持つ、たとえばＰＥＴ／ＰＥ複合フィルムを用いることができる。台紙３は、図１および４に示されるように、矩形状のフィルムまたは耐水性の紙にポリエチレンなどをラミネートしたものなどからなり、台紙３の上側の側縁ＭＥ１に沿って、抽出用袋２が接着されている。図４に示すように抽出用袋２の幅Ｗ１と台紙３の幅Ｗ２を同じ幅にすることにより、抽出用袋２と台紙３をシールしながら同時にカットでき、生産性が良くなる。
【００１７】
図４および６に示すように上側の側縁ＭＥ１から、上側の側縁ＭＥ１と対向する下側の側縁ＭＥ２に向かって、縦方向に２つのスリットＳ１およびＳ２が形成され、スリットＳ１、Ｓ２の下端同士を結ぶ横方向のスリットＳ３が形成され、全体として略Ｕ字状のスリットが形成されている。スリットは、略Ｕ字状である必要はなく、略Ｖ字状にスリットが形成されてもよい。当該スリットにより前記台紙の凸状の張り出し領域である凸状の張り出し部３１が画定され、当該張り出し部３１に沿ってスリットが形成される。スリットは、図４および６においては、帯状に形成されているが、切れ込みなどにより、線上に形成されてもよい。図４において、スリットＳ１、Ｓ２の幅Ｗ３は、飲料バッグＴＢが支持されるカップＣの開口部分の肉厚Ｔｈ（図７参照）より長く（Ｗ３＞Ｔｈ）、当該スリットＳ１、Ｓ２の上端部分が、カップＣの開口部分の縁に飲料バッグＴＢが支持される。スリットＳ１、Ｓ２は帯状（カップの厚さにより２ｍｍ〜１０ｍｍ）が良いが、Ｓ３は帯状でも線状でも良い。
【００１８】
また、図５に示すように、スリットを帯状ではなく、線状にすることもできる。すなわち、台紙３の上側の側縁ＭＥ１から下側の側縁ＭＥ２に向って張り出す張り出し部３１が、線状のスリットＳ４によって画定されている。上側の側縁ＭＥ１に隣接する２つの左側の側縁ＭＥ３および右側の側縁ＭＥ４の上側の側縁ＭＥ１の上端から離間した位置に略円形の２つの孔Ｈが穿設され、当該２つの孔Ｈから線状のスリットＳ４が略Ｕ字状に形成されている。孔Ｈの直径Ｄは、カップＣの開口部分の肉厚Ｔｈ（図７参照）よりも長く（Ｄ＞Ｔｈ）、当該孔Ｈにより、カップＣの開口部分の縁に支持されている。
【００１９】
図６では、カップＣの内側に入り込む矩形状の凸状の張り出し部３１と、カップＣの外側に張り出すＣ字状の支持部３２とから構成されているが、スリットＳ１、Ｓ２、Ｓ３により画定される張り出し部３１は、三角形、四角形等の多角形や、半円、楕円、長円等であっても構わない。また、張り出し部３１の形状やスリットに応じて、支持部３２の形状も適宜変更することが可能であり、特にその形状は限定されるものではない。
【００２０】
包装用袋４は、弱粘着性（再剥離性）の粘着材により接着し封止してもよいし、イージーピール性を有する包装用袋４を用いてヒートシールにより封止してもよく、特に封止の方法は限定されない。粘着材としては、たとえば、アクリル系の弱粘着剤が好適に採用され、ヒートシールにより封止する場合は、たとえば面々ピールシーラントを最内層に持つ複合フィルムが好適に採用される。また、図３に示すようにシール部分５を包装用袋４の外周からわずかに内側にし、包装用袋４を剥がしやすくすることもできる。
【００２１】
つぎに本考案の飲料バッグＴＢの使用状態を図６および７を用いて説明する。包装用袋４を破いたり、剥がしたりすることにより、抽出用袋２と、抽出用袋２が接着された台紙３を取り出す。図６に示すように、飲料バッグＴＢをカップＣの上方からカップＣの開口部へ抽出用袋２を入れ、台紙３の凸状の張り出し部３１をカップＣの内側に入り込ませ、台紙３のＣ字状の支持部３２をカップＣの外側に出るように取り付ける。そうすると、図７に示すように、台紙３の凸状の張り出し部３１がカップＣの内側の開口縁Ｃ１で支持されるとともに、カップＣの外側の開口縁Ｃ２およびＣ３の３点で支持される。したがって、抽出用袋２がカップＣに支持され、簡単にお茶を入れることができる。
【符号の説明】
【００２２】
１  包装された飲料バッグ
２  抽出用袋
３  台紙
３１  張り出し部
３２  支持部
４  包装用袋
ＴＢ  飲料バッグ
【図１】
0003158013.tif 000003
【図２】
0003158013.tif 000004
【図３】
0003158013.tif 000005
【図４】
0003158013.tif 000006
【図５】
0003158013.tif 000007
【図６】
0003158013.tif 000008
【図７】
0003158013.tif 000009
【図８】
0003158013.tif 000010